(57)【特許請求の範囲】
【請求項１】
縦長適宜長さの金属製棒体で，そのシャフトの中間部より下側部側を大径部となし，その下方下側基端部を外周面に雄ネジを形成した設置場所への定着基部となした取り付けシャフトと、縦長適宜長さの中空円筒形状の芯体外周面に適宜角度を配して適宜数の回転羽根をその長さ方向に沿って放射状に取り付け適宜色彩に着色された回転体とを具備しており，前記回転体の回転羽根取り付け用中空円筒形状の芯体を取り付けシャフトの上部から中間部に渡る即ち大径部に至るまでの外周面に回転自在に挿入嵌合せしめるとともに、回転体における中空円筒形状の芯体の上部開口面を取り付けシャフトの上部内周面に嵌合させたキャップにて閉塞せしめてなり、前記回転体の回転羽根からの光の反射とその回転動作によりその設置場所の状況等を報知し看者に注意力を喚起させたり警戒心を与えたりするために用いることを特徴とする報知器。
【請求項２】
道路の曲線地帯，ガードレール，中央分離帯等の道路及びその付帯設備に取り付けシャフトの定着基部を介して取り付け配置され、或いは河川や湖沼，遊泳禁止区域等の危険地帯及び立ち入り禁止区域に前記定着基部を介して取り付け配置され、回転体からの光の反射と回転動作により設置場所の道路状況を運転者に報知して注意力を喚起し交通安全を図る、或いは設置場所の危険状況を報知して事故の発生を未然に防ぐために用いることを特徴とする請求項１記載の報知器。
【請求項３】
畑等の作物生育地，ゴミ収集場所，ベランダ，バルコニーの手摺或いは物干し場等の動物の侵入防止地域に前記定着基部を介して取り付け配置され、回転体からの光の反射と回転動作により鳥や猫等の動物に警戒心を与えて設置場所への動物の侵入及び動物による設置場所の汚損を防止するために用いることを特徴とする請求項１記載の報知器。
【請求項４】
回転体を，光の反射に適した色彩に着色したゴム等の可撓性材質にて形成したことを特徴とする請求項１，２，又は３記載の報知器。
【発明の詳細な説明】
【０００１】
【発明が属する技術分野】
本発明は、取り付けシャフト上部に適宜数の回転羽根を放射状に備えた回転体を回転自在に配設せしめてなり、その回転体の回転羽根からの光の反射と回転動作により、その設置場所の状況等を報知して看者に注意力を喚起して不測の事故の発生を未然に防ぐ，或いは鳥や猫等の動物に警戒心を与えてその浸入を防止して設置場所が荒らされるのを防ぐために用いる報知器に関するものである。
【０００２】
【従来の技術】
従来において道路の曲がり角やガードレール等道路に付設されて危険防止を図る報知器としては、取り付けシャフト上側面に着色された円板を固定配置したもの、或いはその固定円板の表面にそれに沿って回転する風車を配設したものがある。
しかしこの場合には、着色円板から光が反射されるものの，円板が固定されているため動きに乏しく、円板表面の風車が回転するものの固定円板の表面に沿って回転するため一方方向からしか回転が看取できず全体としてやはり動的変化に乏しく専ら円板表面の汚れ落としに役立つに過ぎず、運転者に効果的に注意力を喚起させるには至らなかった。
【０００３】
河川や湖沼，遊泳禁止区域等の危険地帯或いは立ち入り禁止区域に設置された報知器としては、立ち入り禁止等の表示を施した立て看板がある。
しかしこの場合にも、光の反射が弱く動きが全くないため注意力の喚起の実効はやはり乏しかった。
【０００４】
畑の作物やゴミ収集場所をカラスやスズメ等の鳥や猫等の動物の浸入から守るための報知器としては、案山子や鳴子等がある。
しかしこの場合にも、動きに乏しく，音が出ても単調であるため、動物たちに一時的には警戒心を抱かせるものの、直ぐに馴れて撃退の効果は実行が伴わないものであった。  またこれらは、ベランダやバルコニーの手摺或いは物干し場に設置して鳥や猫等の動物の侵入防止を図るには構造上不適切なものであった。
【０００５】
【発明が解決しようとする課題】
本発明は、斯かる従来の報知器の現状に鑑みなされたもので、報知器の構造に簡潔にして格別な工夫を施し、光の反射と回転動作の組み合わせにより全体の動きが活発で刺激が大きく注意力の喚起や警戒心の付与を効果的に行うことができ設置場所も選ばず上記従来技術の有する諸難点を解消し使用上好適である報知器を提供することを目的とする。
【０００６】
【課題を解決するための手段】
上記目的を達成するために本発明は、縦長適宜長さの金属製棒体で，そのシャフトの中間部より下側部側を大径部となし，その下方下側基端部を外周面に雄ネジを形成した設置場所への定着基部となした取り付けシャフトと、縦長適宜長さの中空円筒形状の芯体外周面に適宜角度を配して適宜数の回転羽根をその長さ方向に沿って放射状に取り付け適宜色彩に着色された回転体とを具備しており，前記回転体の回転羽根取り付け用中空円筒形状の芯体を取り付けシャフトの上部から中間部に渡る即ち大径部に至るまでの外周面に回転自在に挿入嵌合せしめるとともに、回転体における中空円筒形状の芯体の上部開口面を取り付けシャフトの上部内周面に嵌合させたキャップにて閉塞せしめてなり、前記回転体の回転羽根からの光の反射とその回転動作によりその設置場所の状況等を報知し看者に注意力を喚起させたり警戒心を与えたりするために用いることを特徴とする。
【０００７】
前記回転体を有する報知器の設置場所と用途は任意であるが、例えば、道路の曲線地帯，ガードレール，歩道と車道間で段差のある縁石部分，中央分離帯等の道路及びその付帯設備の部分に取り付け配置して、或いは河川や湖沼，遊泳禁止区域等の危険地帯及び立ち入り禁止区域に取り付け配置して、回転体からの光の反射と回転動作により設置場所の道路状況を運転者に報知し注意力を喚起させて交通安全を図る、或いは設置場所の危険状況を報知して事故の発生を未然に防ぐために用いる。
【０００８】
またその報知器を，畑等の作物生育地，ゴミ収集場所，ベランダ，バルコニーの手摺或いは物干し場等の動物の侵入防止地域に取り付け配置し、同様に回転体からの光の反射と回転動作によりカラスやスズメ等の鳥或いは猫等の動物に警戒心を与えてその浸入を防ぎ作物やゴミ収集場所等がそれらにより荒らされるのを防止するために用いる。
【０００９】
回転体の材質は任意でよいが、光の反射に適した色彩たとえば波長の長い光を反射するオレンジ色或いは黄色等の色彩に着色され破損による危険性の少ないゴム等の可撓性材質にて形成する場合がある。
【００１０】
【発明の実施の形態】
別紙図面の図１乃至図４に基づいて、本発明実施の形態の一例について説明する。
【００１１】
図１は本発明実施の形態の一例に係る報知器の正面図であり、この報知器は、取り付けシャフトＡとその上部に適宜数の回転羽根を備えて回転自在に配設された回転体Ｂとからなっている。
【００１２】
取り付けシャフトＡは、図４に示す如く縦長適宜長さの金属製棒体で、シャフト１の中間部から下側部側が大径部２となっており、その下方下側基端部側が外周面に雄ネジを形成した設置場所への定着基部３となっている。
【００１３】
回転体Ｂは、図１乃至図３に示す如く、縦長で適宜長さの芯体４とその外周面に適宜数適宜角度に取り付けられた回転羽根６とからなっている。  芯体４は縦長の中空円筒形状に形成されており、その外周面には長さ方向に沿って回転羽根６の取り付け用切欠溝５が１２０度の間隔を配して３個形成されている。  回転羽根６は半円形状の板体で、この３枚の回転羽根が夫々その直径側直線部分を前記芯体４の外周面に形成された切欠溝５内に嵌入して接着固定されている。従って回転羽根６は、各３枚が縦長の中空円筒形芯体４の外周面にその長さ方向に沿って１２０度の間隔に配列して放射状に取り付けられている。  芯体４と３枚の回転羽根６からなる回転体Ｂは、合成樹脂にて作成され、波長が長い光を反射するに適した明るいオレンジ色に着色されている。  回転体Ｂは、太陽光や自動車のライトや外灯の光を受けてそれを反射する。
【００１４】
回転体Ｂは、図１に示す如く、その縦長中空円筒の芯体４を取り付けシャフト１の上部から中間部に渡る外周面に回転自在に挿入嵌合して配設される。従って芯体４の下側端部は取り付けシャフトの大径部２上端面に当接して受け止められる。
芯体４の上部開口面は、シャフト１上部内周面に形成されたネジ部にネジ込み嵌合して取り付けられるキャップ７により閉塞される。  従って回転体Ｂは、その芯体４が上下方向よりキャップ７と大径部２とに挟まれて脱落が防止されるとともに、各回転羽根６が受ける風によりシャフト１の外周面に沿ってその円周方向に回転する。またキャップ７によりシャフト１内に雨水や塵埃が浸入するおそれが防止される。
【００１５】
取り付け用シャフトＡと回転体Ｂとを上記の如く組み立ててなる報知器は、取り付け用シャフトＡの下側基端部の定着基部３を介して設置場所にネジ込み或いはコンクリート詰め接着等の適宜手段により取り付け設置される。
【００１６】
上記報知器は、道路の曲線地帯，ガードレール，中央分離帯，歩道と車道間で段差のある縁石部分等の道路及びその付帯設備の部分に取り付け配置して、回転体Ｂからの光の反射と回転動作により設置場所の道路状況を運転者に報知して注意力を喚起し交通安全を図るために用いる。或いはこの報知器を、河川や湖沼，遊泳禁止区域等の危険地帯及び立ち入り禁止区域に取り付け配置して、回転体Ｂからの光の反射と回転動作により設置場所の危険状況を報知して注意を促し事故の発生を未然に防ぐために用いる。
【００１７】
また，この報知器を、畑等の作物生育地，ゴミ収集場所，ベランダ，バルコニーの手摺或いは物干し場等の動物の侵入防止地域に取り付け配置して、回転体Ｂからの光の反射と回転動作によりカラスやスズメ等の鳥や猫等の動物に警戒心を与えて設置場所へのその侵入及び動物による設置場所の汚損を防止するために用いる。
【００１８】
縦長の芯体４の外周面に長さ方向に沿って３枚の半円形回転羽根６を１２０度間隔で放射状に取り付けてなる回転体Ｂは、風を受けてシャフト１外周面にその円周方向に回転するので、その回転動作の軌跡はあたかも球体が水平方向に回転しているように見え、目に大きな刺激を与える。そしてその回転の動きは一方向のみならず反対方向からもよく見える。
【００１９】
回転体Ｂの回転羽根６の数は複数枚であれば任意でよく、その形態も半円形板の平板状に限らず、風を受けて回転し易くするために弓形状等の湾曲形状となす場合もある。
【００２０】
また回転体Ｂは、ゴム等の可撓性材質にて形成する場合もあり、この場合には耐久性が増強し接触事故や風雨等による破損のおそれ及び破損された破片による怪我等のおそれも防止される。
【００２１】
【発明の効果】
本発明は上記の構成となしたので、上述の従来技術の有する諸難点を解消し、以下に示す特有の効果を奏する。
【００２２】
請求項１乃至４に係る発明においては、従来の如く太陽光や自動車のライト或いは外灯の光等を反射する報知器における反射板を円板形となして取り付けシャフト上部に固定配置せしめたものではなく、光の反射板自体を回転体となした，即ち縦長適宜長さの芯体外周面にその長さ方向に沿って適宜数の回転羽根を適宜角度の間隔を配して放射状に取り付けた回転体となしこれを取り付けシャフト上部外周面に挿入嵌合してその円周方向に沿って回転自在に配設せしめたものであるから、回転羽根が風を受けて回転する回転動作の軌跡があたかも相当長の直径の球体が取り付けシャフト上部でその軸心を中心として水平方向にくるくると回転しているように看取され、その大きく目立つ回転動作とそこから反射される光により看者は従来に比して強烈な刺激を受ける。
【００２３】
従ってこの報知器を、道路の曲線地帯，ガードレール，縁石部分，中央分離帯等の道路及びその付帯設備の部分に設置することにより、回転体の特異な回転動作とそれに伴う光の反射によってその設置場所の道路状況に対する運転者の注意力を強く喚起し、従来に比して交通安全の実効を高めることができる。  またこの報知器を、河川や湖沼，遊泳禁止区域等の危険地帯及び立ち入り禁止区域に設置することにより、同様に回転体の特異な回転動作とそれに伴う光の反射によってその場所の危険状況に対する看者の注意力強く喚起し、従来に比して進入防止及び事故の発生防止の実効を図ることができる。
【００２４】
更にこの報知器を、畑等の作物生育地，ゴミ収集場所，ベランダ，バルコニーの手摺或いは物干し場等の動物の侵入防止を企図すべき場所に設置することにより、同様に回転体の特異な回転動作とそれに伴う光の反射によってカラスやスズメの鳥や猫等の動物に強い警戒心を与え、従来に比してその動物の侵入防止及び設置場所の汚損の防止を確実に図ることができる。
【００２５】
注意力の喚起と警戒心の付与に強く作用する回転体の特異な回転動作とそれに伴う光の反射には何ら電源や動力を必要とせず、専ら回転羽根を利用した風力や刺激の強い波長の長い光を反射するオレンジ色等の着色色彩を用いるものであるから、全体構造を極めて簡潔化することができ、製造並びに使用上好適である。
【００２６】
光を反射する回転体は従来の円板形反射板と異なり回転羽根が風を受けて常時自然に回転するものであるから、従来のように固定円板表面に付着する塵埃を除去するための風車の付帯設備を不要となし、一層全体構造を簡潔なものとなすことができる。
【００２７】
また回転体の縦長中空円筒の芯体を同じく縦長のシャフトの上側外周面に回転自在に嵌合する、従って中空円筒の芯体内周面側に相当長さに亘ってシャフトの上側部が挿入配置されこれを支持軸としてその外周面に中空円筒の芯体が回転するものであるから、回転体の回転が安定して行われ耐久性を増大する上で好適である。
【００２８】
請求項４に係る発明においては、回転体をゴム等の可撓性材質にて形成しているので、耐久性に富み破損のおそれが少なく、万一破損したとしてもその破片により怪我をするというおそれも少なく、使用上好適である。
【図面の簡単な説明】
【図１】本発明実施形態に係る報知器全体の正面図である。
【図２】芯体と回転羽根とからなる回転体の平面図である。
【図３】同上回転体の一部を断面とした側面図である。
【図４】回転体を取り付ける取り付けシャフトの正面図である。
【図５】取り付けシャフト上側開口面を閉塞するキャップの正面図である。
【符号の説明】
Ａ    取り付けシャフト
Ｂ    回転体
１    シャフト
２    大径部
３    定着基部
４    芯体
５    取り付け用切欠溝
６    回転羽根
７    キャップ
【図１】
0003735809.tif 000002
【図２】
0003735809.tif 000003
【図３】
0003735809.tif 000004
【図４】
0003735809.tif 000005
【図５】
0003735809.tif 000006